(57)【要約】【課題】一定期間、植樹帯に肥料の散布を必要としない植樹ブロックを提供することである。【解決手段】植樹帯１４０の境界に敷設される植樹ブロック１であって、その本体１０内部には、中空部２０が形成されているとともに、その中空部２０には植樹帯１４０の肥料３０が詰められており、  敷設時に植樹帯１４０側を向く面には、前記中空部２０と連通する少なくとも１つの連通孔４０が形成されている。【選択図】  図１
2006223260.tif 000002
【特許請求の範囲】
【請求項１】
植樹帯の境界に敷設される植樹ブロックであって、
その本体内部には、中空部が形成されているとともに、その中空部には植樹帯の肥料が詰められており、
敷設時に植樹帯側を向く面には、前記中空部と連通する少なくとも１つの連通孔が形成されている植樹ブロック。
【請求項２】
前記肥料は、紙類で被包された状態で前記中空部に詰められている請求項１に記載の植樹ブロック。
【発明の詳細な説明】
【技術分野】
【０００１】
本発明は、植樹ブロックに関し、詳しくは、舗装帯と植樹帯との境界に敷設される植樹ブロックに関する。
【背景技術】
【０００２】
この種の植樹ブロックとして、例えばコンクリートによって形成された柱状の植樹ブロックが既に知られている。この植樹ブロック１０１は、車道１１０と縁石１２０を介して併設されている歩道１３０と、その歩道１３０に設けられた植樹帯１４０との境界に複数敷設され、これら植樹ブロック１０１によって、歩道１３０と植樹帯１４０とが仕切られている。なお、植樹帯１４０の植樹１４１の生育には、通常、水と肥料とを必要としている。そして、水に関しては、自然現象（例えば、雨水など）で補うことも可能である。しかし肥料に関しては、自然現象で補うことはできないため、植樹１４１を管理する管理者が定期的に肥料を散布している。
【０００３】
なお、この出願の発明に関連する先行技術文献情報としては、例えば、特許文献１が知られている。
【特許文献１】実開平７−３８２１２号公報
【発明の開示】
【発明が解決しようとする課題】
【０００４】
しかしながら、上述した植樹ブロックを使用した場合、既に述べたように植樹の生育に必要な肥料に関しては、自然現象で補うことはできないため、植樹帯を管理する管理者が定期的に肥料を散布しなければならなかった。そのため、管理する植樹帯の数が多ければ、肥料を散布する個所が多くなり、管理者は植樹帯の管理に時間と手間を要することになった。
【０００５】
本発明は、このような課題を解決しようとするもので、その目的は、一定期間、植樹帯に肥料の散布を必要としない植樹ブロックを提供することを課題とする。
【課題を解決するための手段】
【０００６】
本発明は、上記の目的を達成するためのものであって、以下のように構成されている。
請求項１に記載の発明は、植樹帯の境界に敷設される植樹ブロックであって、その本体内部には、中空部が形成されているとともに、その中空部には植樹帯の肥料が詰められており、敷設時に植樹帯側を向く面には、前記中空部と連通する少なくとも１つの連通孔が形成されている構成である。
この構成によれば、降雨時には、雨水が植樹帯の土壌に浸透していき、この浸透によって植樹帯の土壌は、連通孔を介して中空部へ押し込まれていく。この押し込みによって、中空部に存在する肥料は、植樹帯の土壌へと押し出されていく。
このようにして、降雨毎に、植樹ブロックの内部に詰められている肥料は、植樹帯の土壌へと供給されることになる。そのため、管理者は植樹帯に肥料の散布をしなくてもよい。
【０００７】
また、請求項２に記載の発明は、請求項１に記載の植樹ブロックであって、肥料は、紙類で被包された状態で中空部に詰められている構成である。
この構成によれば、容易に肥料を中空部へ詰め込むことができる。また、紙類によって被包してあるため、本体の両開口部および連通孔から肥料がこぼれ出てくることがない。
このようにして、肥料を詰め込んだ状態でも、植樹ブロックの保管性を向上させることができる。
【発明を実施するための最良の形態】
【０００８】
以下、本発明を実施するための最良の形態を、図面を用いて説明する。
（実施例１）
まず、本発明の実施例１を、図１〜３を用いて説明する。
図１は、本発明の植樹ブロック１の斜視図である。図２は、植樹ブロック１の敷設状態の外観図である。図３は、植樹ブロック１の敷設状態における、図１のＡ−Ａ線断面図である。
【０００９】
実施例１の植樹ブロック１は、図１に示すように、その本体１０の内部に中空部２０が形成された角筒形状となっている。その本体１０の上部の隅部には、Ｒを持った面取りがなされている。この植樹ブロック１の外形寸法は、例えば幅Ｗ＝４００ｍｍ、高さＨ＝１８０ｍｍ、奥行きＤ＝１５０ｍｍとなるように設定されている。また、その材質は、例えばコンクリート、レンガ、合成樹脂などである。また、この植樹ブロック１の一方の側面には、中空部２０と連通する楕円状（例えば、長径１５０ｍｍ、短径５０ｍｍ）の連通孔４０が長手方向に５つ形成されている。また、中空部２０には、植樹帯１４０の肥料３０が詰められている。この肥料３０とは、例えば、腐葉土または腐葉土に適切な化学物質を混ぜ合わせたものである。
【００１０】
次に、このように構成された植樹ブロック１の作用について説明する。
この植樹ブロック１は、図２に示すように、車道１１０と縁石１２０を介して併設されている歩道１３０と、その歩道１３０に設けられた植樹帯１４０との境界にコ字形状となるように複数敷設され、歩道１３０と植樹帯１４０とを仕切るための部材である。なお、連通孔４０が植樹帯１４０側を向くように敷設する。また、図３に示すように、敷設時に、連通孔４０の上端部が植樹帯１４０の地表面以下となるように敷設する（連通孔４０が植樹帯１４０に埋設されるように敷設する）。
【００１１】
このように植樹ブロック１を敷設すると、降雨時には、雨水（図示しない）が、⇒Ａに示されるように植樹帯１４０の土壌に浸透していく。すると、この浸透によって植樹帯１４０の土壌は、⇒Ｂに示されるように連通孔４０を介して中空部２０へ押し込まれていく。この押し込みによって、中空部２０に存在する肥料３０は、⇒Ｃに示されるように植樹帯１４０の土壌へと押し出されていく。
【００１２】
このようにして、降雨毎に、植樹ブロック１の内部に詰められている肥料３０は、植樹帯１４０の土壌へと供給されることになる。もちろん、１度の降雨で、肥料３０が全て土壌へと供給されるわけでなく、数年にわたって肥料３０は土壌へと供給され続けることになる。そのため、この数年間（一定期間）、管理者は植樹帯１４０に肥料３０の散布をしなくてもよい。この結果、植樹帯１４０を管理する管理者が定期的に肥料３０を散布していた場合と比較すると、管理者の作業工数を大幅に削減できる。
【００１３】
もちろん、植樹ブロック１の中空部２０に肥料３０が無くななってしまうと、中空部２０に肥料３０を補充しなければならない。そのため、数年毎に、肥料３０の補充作業が必要となる。また、一般的に、歩道１３０も経年劣化により、数年毎に再舗装が実施されている。そのため、この再舗装時にあわせて肥料３０の補充を実施することにより、肥料３０を補充するための管理者の作業工数を大幅に削減できる。
【００１４】
（実施例２）
続いて、本発明の実施例２を、図４を用いて説明する。
この実施例２は、既に説明した実施例１と比較すると、実施例１の植樹ブロック１では、肥料３０は被包されていない状態（そのままの状態で）で中空部２０に詰められていた。しかし、実施例２の植樹ブロック１では、肥料３０は紙類５０で被包された状態で中空部２０に詰められている。この点が、実施例２は実施例１と相違しており、その他の点は同一である。
【００１５】
この実施例２では、中空部２０のサイズに合うように予め紙類５０によって肥料３０を直方体状に被包しているため、実施例１の場合と比較すると、容易に肥料３０を中空部２０へ詰め込むことができる。また、このように紙類５０によって被包してあるため、本体１０の両開口部および連通孔４０から、肥料３０がこぼれ出てくることがない。そのため、肥料３０を詰め込んだ状態でも、植樹ブロック１の保管性がよい（実施例１では、植樹ブロック１の保管時に、本体１０の両開口部および連通孔４０から、肥料３０がこぼれ出てくる恐れがあった）。
【００１６】
このように紙類５０で被包してあると、図４に示すように、降雨時には、紙類５０は容易に破れるため、この実施例２も実施例１と同様の作用を有することになる。なお、以降の作用は実施例１と同様であるため、その説明は省略する。
【００１７】
上述した内容は、あくまでも本発明の一実施の形態に関するものであって、本発明が上記内容に限定されることを意味するものではない。
各実施例（実施例１および実施例２）では、１つの植樹ブロック１に楕円形状の連通孔４０を５つ形成する例を説明した。しかし、これに限定されるものでなく、大きさ、形状、数に制限はなく、唯１つでも構わない。そして、これらは、植樹帯１４０の面積および肥料３０の供給量などに応じて、適宜選定されるものである。
【００１８】
また、各実施例では、楕円状の連通孔４０が長手方向に５つ形成されている構成を例に説明した。しかし、これに限定されるものでなく、円状（例えば、直径３０ｍｍ）の連通孔４０が長手方向に５つ形成されているとともに、それら各連通孔４０は本体１０の側面において上部、下部と交互に配置されている構成でも構わない（図５参照）。なお、この構成であっても、各実施例と同様の作用効果を有することができる。
【００１９】
また、各実施例では、本体１０に底が有るる構成を例に説明した。しかし、これに限定されるものでなく、本体１０に底が無い構成（すなわち、本体１０の長手方向の断面がコ字形状となる構成）でも構わない。
【００２０】
また、各実施例では、肥料３０は腐葉土または腐葉土に適切な化学物質を混ぜ合わせたものを例に説明した。しかし、これに限定されるものでなく、建設廃木材、剪定枝、伐採木または植樹帯１４０の植樹１４１などでも構わない。例えば、植樹帯１４０の植樹１４１を肥料３０とした場合、伐採した植樹１４１を使用できるため、その場でリサイクル可能となる。すなわち、伐採した植樹１４１が、その場でリサイクルされて、植樹１４１自身の肥料３０となる。
【００２１】
また、各実施例では、歩道１３０と植樹帯１４０とを仕切るために植樹ブロック１を敷設する構成を例に説明した。しかし、これに限定されるものでなく、例えば、単に植樹帯１４０を仕切るために植樹ブロック１を敷設する構成、すなわち、植樹帯１４０の周縁一体に植樹ブロック１を敷設する構成でも構わない。
【図面の簡単な説明】
【００２２】
【図１】図１は、実施例１における植樹ブロック１の斜視図である。
【図２】図２は、実施例１における植樹ブロック１の敷設状態の外観図である。
【図３】図３は、実施例１における植樹ブロック１の敷設状態において、図１のＡ−Ａ線断面図である。
【図４】図４は、実施例２における植樹ブロック１の敷設状態において、図１のＡ−Ａ線断面図である。
【図５】図５は、実施例１の樹脂ブロック１と、連通孔４０の形状が異なる樹脂ブロック１を示した図である。
【符号の説明】
【００２３】
１      植樹ブロック
１０    本体
２０    中空部
３０    肥料
４０    連通孔
５０    紙類
１４０  植樹帯
【図１】
2006223260.tif 000003
【図２】
2006223260.tif 000004
【図３】
2006223260.tif 000005
【図４】
2006223260.tif 000006
【図５】
2006223260.tif 000007